(57)【要約】【課題】特定のユーザ以外のユーザの操作により機器が制御されることを抑制することができる制御装置を提供する。【解決手段】制御装置１０は、施設が備える壁に取り付け可能な筐体と、少なくとも一部が筐体内に配置されたタッチパネル式の表示部１５ｂと、表示部１５ｂへのユーザの操作に応じて施設１０１に配置された機器を制御する制御部１２とを備える。制御部１２は、第一条件が満たされるまでの間、施設１０１に配置された機器の少なくとも一部である制限対象機器の制御を制限する機能制限モードの動作を行う。【選択図】図８
2018186330.tif 000002
【特許請求の範囲】
【請求項１】
施設が備える構造物に取り付け可能な筐体と、
少なくとも一部が前記筐体内に配置されたタッチパネル式の表示部と、
前記表示部へのユーザの操作に応じて前記施設に配置された機器を制御する制御部とを備え、
前記制御部は、第一条件が満たされるまでの間、前記施設に配置された機器の少なくとも一部である制限対象機器の制御を制限する機能制限モードの動作を行う
制御装置。
【請求項２】
さらに、前記施設に配置された機器の電源スイッチ用に供給される電力を受電する受電部を備える
請求項１に記載の制御装置。
【請求項３】
さらに、前記施設に配置された機器への電源供給の有無を切り替えるスイッチ素子を備える
請求項２に記載の制御装置。
【請求項４】
前記制御部は、前記機能制限モードの動作において、前記制限対象機器の制御を前記ユーザが指示するためのオブジェクトを前記表示部に表示させない
請求項１〜３のいずれか１項に記載の制御装置。
【請求項５】
前記制御部は、前記機能制限モードの動作において、前記施設に配置された機器のうち前記制限対象機器以外の機器の制御を前記ユーザが指示するためのオブジェクトを前記表示部に表示させる
請求項１〜４のいずれか１項に記載の制御装置。
【請求項６】
前記制御部は、第二条件が満たされたときに、他のモードの動作から前記機能制限モードの動作に移行する
請求項１〜５のいずれか１項に記載の制御装置。
【請求項７】
前記制御部は、子供によるものと推定される前記表示部への操作が検知されたときに、前記第二条件が満たされたと判定する
請求項６に記載の制御装置。
【請求項８】
前記制御部は、前記機能制限モードの動作を開始してから所定期間が経過したときに、前記第一条件が満たされたと判定し、前記機能制限モードの動作を解除する
請求項１〜７のいずれか１項に記載の制御装置。
【請求項９】
前記制御部は、外部から前記制御装置へ所定の情報が入力されたときに、前記第一条件が満たされたと判定し、前記機能制限モードの動作を解除する
請求項１〜７のいずれか１項に記載の制御装置。
【請求項１０】
前記制御部は、前記機能制限モードの動作において、前記ユーザが前記所定の情報を入力するための画面を前記表示部に表示させる
請求項９に記載の制御装置。
【請求項１１】
前記制御部は、
少なくとも前記制限対象機器を動作させて前記施設内を所定の室内環境に近づけるシーン制御を複数種類実行可能であり、
前記機能制限モードの動作においては、前記制限対象機器の制御の制限として、実行可能な複数種類の前記シーン制御のうちの一部を実行しない
請求項１〜１０のいずれか１項に記載の制御装置。
【発明の詳細な説明】
【技術分野】
【０００１】
本発明は、施設に配置された機器を制御する制御装置に関する。
【背景技術】
【０００２】
従来、無線通信によって機器を遠隔操作する技術が知られている。特許文献１には、機器の管理者またはユーザが事前に機器の設定をする手間を省略することができる周辺機器が開示されている。
【先行技術文献】
【特許文献】
【０００３】
【特許文献１】特開２０１４−２０９３４２号公報
【発明の概要】
【発明が解決しようとする課題】
【０００４】
ところで、機器を制御する制御装置への操作は、特定のユーザのみに許容されるほうがよい場合がある。例えば、制御装置の利用方法を理解していない子供が制御装置に触れることにより機器が制御されると、当該機器の動作によっては危険が生じる場合がある。
【０００５】
本発明は、特定のユーザ以外のユーザの操作に基づいて機器が制御されてしまうことを抑制することができる制御装置を提供する。
【課題を解決するための手段】
【０００６】
本発明の一態様に係る制御装置は、施設が備える構造物に取り付け可能な筐体と、少なくとも一部が前記筐体内に配置されたタッチパネル式の表示部と、前記表示部へのユーザの操作に応じて前記施設に配置された機器を制御する制御部とを備え、前記制御部は、第一条件が満たされるまでの間、前記施設に配置された機器の少なくとも一部である制限対象機器の制御を制限する機能制限モードの動作を行う。
【発明の効果】
【０００７】
本発明によれば、特定のユーザ以外のユーザの操作に基づいて機器が制御されてしまうことが抑制される。
【図面の簡単な説明】
【０００８】
【図１】図１は、実施の形態に係る機器制御システムの概要を示す図である。
【図２】図２は、実施の形態に係る制御装置の斜視図である。
【図３】図３は、実施の形態に係る制御装置の正面図である。
【図４】図４は、空調装置を制御するための画像の一例を示す図である。
【図５】図５は、シーン制御用の画像の一例を示す図である。
【図６】図６は、シーン制御用の画像の別の一例を示すである。
【図７】図７は、機能制限モードにおいて解除コードの入力を要求する画像の一例を示す図である。
【図８】図８は、実施の形態に係る機器制御システムの構成を示すブロック図である。
【図９】図９は、機能制限モードの動作への移行のフローチャートである。
【図１０】図１０は、機能制限モードの動作へ移行するための操作が行われる画像の一例を示す図である。
【図１１】図１１は、識別情報取得部に触れることをユーザに要求する画像の一例を示す図である。
【図１２】図１２は、ユーザが子供であるか否かを推定する例を説明するための第一の図である。
【図１３】図１３は、ユーザが子供であるか否かを推定する例を説明するための第二の図である。
【図１４】図１４は、機能制限モードにおいて、制御対象から除外される機器を指定するための画像の一例を示す図である。
【図１５】図１５は、機能制限モードの動作中におけるスイッチモードの画像の一例を示す図である。
【図１６】図１６は、機能制限モードの動作中におけるスイッチモードの画像の別の一例を示す図である。
【図１７】図１７は、機能制限モードにおいて、ユーザが禁止するシーン制御を指定するための画像の一例を示す図である。
【発明を実施するための形態】
【０００９】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［機器制御システムの全体構成］
まず、実施の形態に係る機器制御システムの構成について説明する。図１は、実施の形態に係る機器制御システムの概要を示す図である。
【００１２】
図１に示されるように、機器制御システム１００は、施設１０１に設けられ、施設１０１内に配置された機器を制御するためのシステムである。施設１０１は、例えば、戸建住宅である。施設１０１内には、壁及び扉などで仕切られた複数の部屋が含まれる。複数の部屋は、具体的には、部屋１０２、部屋１０２ａ、及び、部屋１０２ｂである。
【００１３】
機器制御システム１００が備える制御装置１０は、ユーザが部屋１０２内に配置された複数の機器を制御するためのコントローラである。複数の機器には、例えば、照明装置２０、空調装置３０、電動カーテン４０、及び、電動シャッター５０（図１では図示せず）などが含まれる。また、制御装置１０は、照明装置２０、空調装置３０、及び、電動カーテン４０に対しては、いわゆる壁スイッチ（壁スイッチ装置）としても機能する。図２は、制御装置１０の斜視図である。図３は、制御装置１０の正面図である。
【００１４】
図２に示されるように、制御装置１０は、部屋１０２の壁１０３に配置される。壁１０３は、施設１０１が備える構造物の一例である。制御装置１０は、壁１０３に埋め込まれたスイッチボックス１０４に筐体１８の少なくとも一部が収容された状態で、壁１０３に固定される。制御装置１０の取り付け方法は、汎用の壁スイッチとほぼ同様であり、スイッチボックス１０４も壁スイッチ用のものが使用できる。
【００１５】
図３に示されるように、制御装置１０は、いわゆるＧＵＩ（Ｇｒａｐｈｉｃａｌ  Ｕｓｅｒ  Ｉｎｔｅｒｆａｃｅ）として機能し、制御装置１０の表示部１５ｂには、例えば、アイコン（ボタン）を含む画像が表示される。以下では、図３に示される画像は、スイッチモードの画像とも記載される。ユーザは、表示部１５ｂ（タッチパネル）のアイコンの部分をタップ操作することにより、照明装置２０、空調装置３０、及び、電動カーテン４０の各機器への電力供給をオン及びオフすることができる。
【００１６】
なお、制御装置１０の表示部１５ｂには、上記各機器の詳細な制御を行うための画像も表示される。図４は、空調装置３０を制御するための画像の一例を示す図である。図４に示される画像によれば、ユーザは、空調装置３０の運転モードの切り替え及び設定温度の変更を行うことができる。空調装置３０の運転モードの切り替え及び設定温度の変更は、それぞれ別の画像を通じて行われてもよい。なお、図示されないが、表示部１５ｂには、照明装置２０の調光制御及び調色制御などを行うための専用の画像、電動カーテン４０を開閉するための専用の画像、電動シャッター５０を開閉するための専用の画像が表示されてもよい。
【００１７】
このような、空調装置３０を制御するための画像、照明装置２０を制御するための画像、電動カーテン４０を制御するための画像、及び、電動シャッター５０を制御するための画像は、例えば、表示部１５ｂに選択的に１つだけ表示される。例えば、ユーザが表示部１５ｂ（タッチパネル）へスワイプ操作を行うごとに、現在表示されている画像が別の画像に切り替わる。
【００１８】
また、制御装置１０の表示部１５ｂには、シーン制御用の画像も表示される。図５及び図６は、シーン制御用の画像の一例を示す図である。
【００１９】
シーン制御は、施設１０１内を所定の室内環境に近づけるために、施設１０１内に配置された複数の機器の少なくとも一部を動作させる制御である。シーン制御では、例えば、種類または機能が異なる複数の機器が一括して制御される。例えば、図５に示されるように、「おはよう」の文字を含むアイコン（以下、おはようアイコンとも記載される）を含む画像は、主としてユーザの起床時に実行されるシーン制御用の画像である。おはようアイコンがタップ操作されると、制御装置１０が制御信号を送信することにより、照明装置２０がオンされ、電動カーテン４０及び電動シャッター５０が開かれ、空調装置３０がオンされる。つまり、ユーザの起床時に適した制御がワンタッチで行われる。
【００２０】
また、図６に示されるように「おでかけ」の文字を含むアイコン（以下、おでかけアイコンとも記載される）を含む画像は、主としてユーザの外出時に実行されるシーン制御用の画像である。おでかけアイコンがタップ操作されると、制御装置１０が制御信号を送信することにより、照明装置２０がオフされ、電動カーテン４０及び電動シャッターが閉じられ、空調装置３０がオフされる。つまり、ユーザの外出時に適した制御がワンタッチで行われる。
【００２１】
その他のシーン制御としては、「おやすみ」の文字を含むアイコン（以下、おやすみアイコンとも記載される）がタップ操作されることにより実行される、主としてユーザの就寝時に実行されるシーン制御がある。また、「おかえり」の文字を含むアイコンがタップ操作されることにより実行される、主としてユーザの帰宅時に実行されるシーン制御もある。これらのシーン制御は、アイコンがタップ操作された直後に実行されてもよいし、アイコンがタップ操作されてから所定期間の経過後に実行されてもよい。
【００２２】
なお、図５及び図６では、表示部１５ｂにシーン制御用のアイコンを１つ含む画像が表示されているが、表示部１５ｂには、シーン制御用のアイコンを複数含む画像が表示されてもよい。機器制御用のアイコンについても同様である。
【００２３】
制御装置１０の表示部１５ｂには、上記スイッチモードの画像、照明装置２０、空調装置３０、電動カーテン４０、及び、電動シャッター５０を制御するための画像、並びに、シーン制御用の画像などから選択された１つの画像が表示される。例えば、ユーザが表示部１５ｂ（タッチパネル１５ａ）へスワイプ操作を行うごとに、現在表示されている画像が別の画像に切り替わる。
【００２４】
なお、このような画面遷移はスワイプ操作以外の操作に応じて行われてもよい。例えば、画像内に画面遷移用のアイコンが含まれ、画面遷移用のアイコンへのタップ操作によって画面遷移が行われてもよい。また、制御装置１０が画面遷移用のハードウェアキー（ボタン）を備え、当該ハードウェアキーへの操作によって画面遷移が行われてもよい。つまり、画面遷移は、制御装置１０への操作に基づいて行われればよい。
【００２５】
また、制御装置１０は、施設１０１に配置された機器の制御が全く制限されない通常モードの動作と、施設１０１に配置された機器の少なくとも一部である制限対象機器の制御を制限する機能制限モードの動作を選択的に実行する。
【００２６】
機能制限モードは、例えば、子供（幼児）などの制御装置１０の利用方法を理解していないユーザが勝手に制御装置１０を操作してしまうことに基づく機器制御を抑制するチャイルドロックモードである。機能制限モードの動作中には、制御装置１０の表示部１５ｂには、例えば、図７のような画像が表示され、解除コードの入力が行われない限り、ユーザは機器を制御することができない。図７は、機能制限モードにおいて解除コードの入力を要求する画像の一例を示す図である。
【００２７】
［機器制御システムの詳細構成］
以下、機器制御システム１００の詳細構成について説明する。図８は、実施の形態に係る機器制御システムの構成を示すブロック図である。
【００２８】
機器制御システム１００は、表示システムの一例である。図８に示されるように、機器制御システム１００は、具体的には、制御装置１０と、照明装置２０と、空調装置３０と、電動カーテン４０と、電動シャッター５０と、分電盤６０と、情報端末９０とを備える。また、図８では、外部電源である電力系統７０も図示されている。以下、機器制御システム１００を構成する各構成要素について主として図１及び図８を参照しながら説明する。
【００２９】
［制御装置］
上述のように、制御装置１０は、例えば、部屋１０２に配置され、ユーザが当該部屋１０２内に配置された機器を制御するためのコントローラである。制御装置１０は、具体的には、照明装置２０、空調装置３０、電動カーテン４０、及び、電動シャッター５０を制御する。言い換えれば、照明装置２０、空調装置３０、電動カーテン４０、及び、電動シャッター５０は、制御装置１０の制御対象機器の一例である。
【００３０】
制御装置１０は、具体的には、通信部１１と、制御部１２と、記憶部１３と、電源部１４と、タッチパネル１５ａと、表示部１５ｂと、識別情報取得部１５ｃと、計時部１５ｄと、人感センサ１５ｅと、スイッチ部１７とを備える。また、図２に示されるように、制御装置１０は、筐体１８を備える。
【００３１】
通信部１１は、施設１０１に配置された機器と無線通信を行う。通信部１１は、具体的には、制御部１２の制御に基づいて、照明装置２０、空調装置３０、及び、電動カーテン４０に制御信号を無線送信する。また、通信部１１は、情報端末９０と通信を行うこともできる。通信部１１は、施設１０１に配置された機器と通信する際に用いられる通信ネットワークを介して情報端末９０と通信を行ってもよいし、当該通信ネットワークよりも大規模なインターネットなどの広域ネットワークを介して情報端末９０と通信を行ってもよい。
【００３２】
通信部１１は、具体的には、通信モジュール（通信回路）によって実現される。通信部１１は、例えば、施設１０１内に配置された機器と無線通信を行うための通信モジュール、及び、施設１０１外に位置する機器と広域ネットワークを介して通信を行うための通信モジュールなど複数の通信モジュールによって実現される。
【００３３】
制御部１２は、機器の制御に関連する信号処理を行う。制御部１２は、具体的には、プロセッサ、マイクロコンピュータ、または専用回路によって実現される。
【００３４】
制御部１２は、通信部１１に制御信号を無線送信させることにより、照明装置２０、空調装置３０、電動カーテン４０、及び、電動シャッター５０の制御を行う。つまり、「制御する」及び「制御を行う」という表現には、制御信号等を出力することが含まれる。また、制御部１２は、表示部１５ｂ（タッチパネル１５ａ）への操作に基づいて、スイッチ部１７を制御する。つまり、制御部１２は、照明装置２０、空調装置３０、及び、電動カーテン４０への電力供給のオン及びオフを制御する。
【００３５】
制御部１２は、上述したスイッチモードの画像、機器の個別制御用の画像、シーン制御用の画像、及び、解除コードの入力を要求する画像などを表示部１５ｂに表示させる。制御部１２は、具体的には、映像信号を生成し、生成した映像信号を表示部１５ｂに出力することにより、表示部１５ｂに画像を表示させる。
【００３６】
また、制御部１２は、通常モードの動作と、機能制限モードの動作とを選択的に実行する。通常モードの動作中においては、施設１０１に配置された機器の制御が全く制限されない。機能制限モードにおいては、施設１０１に配置された機器の少なくとも一部である制限対象機器の制御が制限される。言い換えれば、機能制限モードの動作においては、通常モードの動作において制御対象となる複数の機器のうち一部の機器が制御対象から除外される。
【００３７】
記憶部１３には、表示部１５ｂに表示される画像の元となる情報（映像信号の元となる情報）、及び、制御部１２が実行する制御プログラムなどが記憶される。記憶部１３は、具体的には、半導体メモリなどによって実現される。
【００３８】
電源部１４は、電力系統７０から供給される交流電力を受電する受電部（例えば、受電用の端子）を有し、受電部によって受電された電力を制御装置１０の動作に適した直流電力に変換して制御装置１０が備える各構成要素に供給する。電源部１４によって受電される交流電力は、例えば、既存の壁スイッチ（施設１０１に配置された機器の電源スイッチ）用の交流電力である。電源部１４は、具体的には、ＡＣ／ＤＣコンバータまたはＤＣ／ＤＣコンバータなどを含む電源回路である。
【００３９】
タッチパネル１５ａは、表示部１５ｂ（タッチパネル１５ａ）へのユーザの操作を検知する検知デバイスである。タッチパネル１５ａは、静電容量方式のタッチパネルであってもよいし、抵抗膜方式などその他の方式のタッチパネルであってもよい。
【００４０】
表示部１５ｂは、タッチパネル１５ａが重ねて配置されたタッチパネル式の表示部である。表示部１５ｂは、制御部１２の制御に基づいて、シーン制御用の画像などを表示する。表示部１５ｂが表示する画像は、上記図３〜図６に例示される。表示部１５ｂは、具体的には、液晶パネル、または、有機ＥＬパネルなどによって実現される。
【００４１】
識別情報取得部１５ｃは、制御装置１０を操作しているユーザの識別情報を取得する。識別情報取得部１５ｃは、具体的には、指紋センサであり、ユーザの指紋情報をユーザの識別情報として取得する。識別情報取得部１５ｃは、静脈パターンを検出するセンサなどその他の生体認証情報を取得する、生体認証センサであってもよい。また、識別情報取得部１５ｃは、ユーザの顔の画像を識別情報として取得する撮像装置であってもよい。この場合、顔認識処理を含む画像処理によってユーザが識別される。
【００４２】
計時部１５ｄは、現在の日時（年月日を含む）を計測する計時装置である。計時部１５ｄは、具体的には、リアルタイムクロック（ＲＴＣ：Ｒｅａｌ  Ｔｉｍｅ  Ｃｌｏｃｋ）などであるが、どのような態様であってもよい。
【００４３】
人感センサ１５ｅは、人体から放出される赤外線（空間の温度変化）を検知する焦電センサである。図２等に示されるように、人感センサ１５ｅは、ベゼル部の上側に配置されている。人感センサ１５ｅは、表示部１５ｂを操作しているユーザが子供であるか否かを推定するために使用される。人感センサ１５ｅの具体的な使用方法については後述される。
【００４４】
スイッチ部１７は、表示部１５ｂ（タッチパネル１５ａ）への操作に基づいて、照明装置２０、空調装置３０、及び、電動カーテン４０のそれぞれに対する電力系統７０からの電力供給をオン及びオフする。つまり、スイッチ部１７は、照明装置２０、空調装置３０、及び、電動カーテン４０の主電源をオン及びオフする。スイッチ部１７は、具体的には、表示部１５ｂ（タッチパネル１５ａ）への操作に基づいて制御部１２によって制御される。スイッチ部１７は、制御部１２が無線通信を行うことなく直接制御するスイッチ素子を、照明装置２０、空調装置３０、及び、電動カーテン４０に対応して３つ有する。
【００４５】
スイッチ素子は、電力系統７０から照明装置２０、空調装置３０、及び、電動カーテン４０の各機器までの分岐回路７２上（電力線上）に位置し、電力系統７０と各機器との電気的な接続をオン及びオフする。スイッチ素子は、言い換えれば、施設１０１に配置された機器への電源供給の有無を切り替える。スイッチ素子は、リレー素子などの電気接点を構造的に開閉する素子であってもよいし、パワートランジスタなどの半導体スイッチング素子であってもよい。なお、スイッチ部１７は、少なくとも１つスイッチ素子を備えればよい。つまり、スイッチ部１７は、少なくとも１つの機器への電力供給を直接的にオン及びオフできればよい。
【００４６】
筐体１８（図２に図示）は、通信部１１、制御部１２、タッチパネル１５ａ、表示部１５ｂ、識別情報取得部１５ｃ、計時部１５ｄ、人感センサ１５ｅ、及び、スイッチ部１７を収容する。筐体１８は、例えば、樹脂によって形成されるが、一部または全部が金属によって形成されてもよい。上述のように、筐体１８は、少なくとも一部が施設１０１の壁１０３に埋め込まれる。筐体１８は、施設１０１の壁に直接取り付けられてもよいし、取付部材等を介して間接的に取り付けられてもよい。筐体１８は、施設１０１の壁１０３などの構造物に取り付け可能であればよい。
【００４７】
以上、制御装置１０の構成について説明した。なお、説明された制御装置１０の構成は、一例である。例えば、制御装置１０は、壁スイッチとして機能するための構成要素（スイッチ部１７など）を備えないコントローラであってもよい。
【００４８】
［照明装置］
照明装置２０は、施設１０１に配置された機器の一例であり、具体的には、部屋１０２に配置される。照明装置２０は、室内を照明するいわゆるシーリングライトである。照明装置２０の具体的態様は、特に限定されず、ダウンライト、ペンダントライト、スポットライト、または、ブラケットライトなどであってもよい。
【００４９】
照明装置２０は、具体的には、ＬＥＤ（Ｌｉｇｈｔ  Ｅｍｉｔｔｉｎｇ  Ｄｉｏｄｅ）を光源として備える。照明装置２０は、蛍光管、半導体レーザなどの半導体発光素子、または、有機ＥＬ（Ｅｌｅｃｔｒｏ  Ｌｕｍｉｎｅｓｃｅｎｃｅ）もしくは無機ＥＬなどの固体発光素子を光源として備えてもよい。
【００５０】
また、図示されないが、照明装置２０は、制御装置１０と無線通信を行うための通信モジュール（通信回路）を備え、制御装置１０が備える通信部１１によって送信される制御信号を受信する。つまり、照明装置２０は、制御装置１０から受信した制御信号に基づいて発光または消灯することができる。例えば、制御信号において調光率（調光比）が指定されている場合、照明装置２０は、指定された調光率で発光する。また、制御信号において色温度が指定されている場合、照明装置２０は、指定された色温度で発光する。また、電力系統７０から照明装置２０への電力供給のオン及びオフ（点灯及び消灯）は、スイッチ部１７によって制御される。
【００５１】
［空調装置］
空調装置３０は、施設１０１に配置された機器の一例であり、具体的には、部屋１０２に配置される。空調装置３０は、一般家庭用の空調装置である。空調装置３０は、熱交換器（図示せず）などを有することにより、空調装置３０から送出される風の温度の調整が可能な空調装置である。つまり、空調装置３０は、送風機能及び冷暖房機能を有する。空調装置３０は、一般家庭用の空調装置に限定されず、産業用の空調装置であってもよい。
【００５２】
空調装置３０は、温湿度計測部３１を備える。温湿度計測部３１は、部屋１０２の温度及び湿度を計測し、計測した温度（室温）を示す温度情報、及び、計測した湿度を示す湿度情報を出力する。温湿度計測部３１は、温度を計測するための素子として、サーミスタまたは熱電対などを有し、湿度を計測するための素子として、高分子抵抗式の湿度センサ、または、高分子容量式の湿度センサなどを有する。なお、施設１０１内の温度及び湿度の計測には、空調装置３０とは別体の温湿度計測部３１が用いられてもよい。また、施設１０１内の温度及び湿度の計測には、空調装置３０とは別体の温度計測部及び空調装置３０とは別体の湿度計測部が用いられてもよい。
【００５３】
また、図示されないが、空調装置３０は、制御装置１０と無線通信を行うための通信モジュール（通信回路）を有し、制御装置１０が備える通信部１１によって送信される制御信号を受信する。つまり、空調装置３０は、制御装置１０から受信した制御信号に基づいて、運転モードの切り替え、及び、設定温度の変更を行うことができる。また、空調装置３０は、温湿度計測部３１によって出力される温度情報及び湿度情報を制御装置１０が備える通信部１１に送信する。電力系統７０から空調装置３０への電力供給のオン及びオフは、スイッチ部１７によって制御される。
【００５４】
［電動カーテン］
電動カーテン４０は、施設１０１に配置された機器の一例であり、部屋１０２に配置され、カーテンの開閉を行う。図示されないが、電動カーテン４０は、制御装置１０と無線通信を行うための通信モジュール（通信回路）を有し、制御装置１０が備える通信部１１によって送信される制御信号を受信する。つまり、電動カーテン４０は、制御装置１０から受信した制御信号に基づいてカーテンを開閉する。電力系統７０から電動カーテン４０への電力供給のオン及びオフは、スイッチ部１７によって制御される。
【００５５】
［電動シャッター］
電動シャッター５０は、施設１０１に配置された機器の一例であり、施設１０１が有する窓の外側に配置され、開閉する。電動シャッター５０は、制御装置１０と無線通信を行うための通信モジュール（通信回路）を有し、制御装置１０が備える通信部１１によって送信される制御信号を受信する。つまり、電動シャッター５０は、制御装置１０から受信した制御信号に基づいて開閉する。なお、電動シャッター５０は、例えば、電動カーテン４０が配置されている窓の外側に配置されているが、図１では図示されていない。電動シャッター５０は、電動カーテン４０が配置されていない窓の外側に配置されていてもよい。
【００５６】
［分電盤］
分電盤６０は、電力系統７０からの幹線７１を通じた電力供給をオンまたはオフするため主幹ブレーカ６１を有する。主幹ブレーカ６１は、所定の電流（電力会社との契約で定められる電力に基づく電流）を超える電流が電力系統７０から流れたときに、電力系統７０からの電力の供給を停止するブレーカである。
【００５７】
また、分電盤６０は、幹線７１から分岐した複数の分岐回路７２のそれぞれに対応して、複数の分岐ブレーカ６２を有する。つまり、分電盤６０は、分岐回路７２ごとに、分岐ブレーカ６２を有する。分岐ブレーカ６２は、当該分岐ブレーカ６２に接続された分岐回路７２に過電流が流れた場合に、当該分岐回路７２への電力の供給を停止するブレーカである。
【００５８】
なお、分電盤６０は、消費電力計測機能、及び、計測した消費電力を送信する無線通信機能を有してもよい。この場合の消費電力計測機能は、幹線７１における消費電力のみを計測する機能であってもよいし、幹線７１における消費電力及び分岐回路７２ごとの消費電力の両方を計測する機能であってもよい。また、機器制御システム１００は、分電盤６０とは別体の消費電力計測装置を備えてもよい。別体の消費電力計測装置は、幹線７１における消費電力のみを計測してもよいし、幹線７１における消費電力及び分岐回路７２ごとの消費電力の両方を計測してもよい。
【００５９】
［情報端末］
情報端末９０は、ユーザによって携帯される情報通信端末であり、具体的には、スマートフォン、タブレット端末、またはウェアラブル端末などの携帯端末である。ウェアラブル端末には、眼鏡型の端末、腕輪型の端末、及び、腕時計型の端末などが含まれる。情報端末９０は、パーソナルコンピュータなどの携帯端末以外の情報端末であってもよい。図示されないが、情報端末９０は、制御装置１０と通信を行うための通信モジュール（通信回路）を有する。機器制御システム１００において、情報端末９０は、制御装置１０への解除コードまたはロック用コードの入力などに使用される。
【００６０】
［機能制限モードの動作への移行］
次に、制御装置１０の機能制限モードの動作への移行について説明する。図９は、機能制限モードの動作への移行のフローチャートである。
【００６１】
まず、制御部１２は、通常モードの動作を行う（Ｓ１１）。通常モードの動作においては、施設１０１に配置された機器の制御が全く制限されない。したがって、ユーザは、制御装置１０の表示部１５ｂを操作することにより、上述したスイッチモードの制御、機器の個別制御、及び、シーン制御の全てを制御装置１０に指示することができる。
【００６２】
次に、制御部１２は、第二条件が満たされたか否かを判定する（Ｓ１２）。例えば、制御部１２は、タッチパネル１５ａによって機能制限モードの動作への移行を指示する操作が検知されたときに、第二条件が満たされたと判定し（Ｓ１２でＹｅｓ）、通常モードから機能制限モードの動作に移行する（Ｓ１３）。制御部１２は、タッチパネル１５ａによって機能制限モードの動作への移行を指示する操作が検知されるまでは（Ｓ１２でＮｏ）、通常モードの動作を継続する。
【００６３】
ここで、機能制限モードの動作へ移行するための操作は、特に限定されないが、例えば、ロック用コードを入力する操作である。図１０は、機能制限モードの動作へ移行するための操作が行われる画像の一例を示す図である。
【００６４】
制御部１２は、図１０に示されるような画像を表示部１５ｂに表示させ、当該画像が表示されているときにユーザによって正しいロック用コードが入力されると、機能制限モードの動作に移行する。なお、正しいロック用コードは、記憶部１３に予め記憶（登録）され、制御部１２は、ユーザによって入力されたロック用コードと記憶部１３に記憶されたロック用コードとが一致するか否かによってユーザによって正しいロック用コードが入力されたか否かを判定することができる。
【００６５】
機能制限モードの動作中に、制御部１２は、第一条件が満たされたか否かを判定する（Ｓ１４）。例えば、制御部１２は、タッチパネル１５ａによって表示部１５ｂへの機能制限モードの動作の解除（通常モードの動作への移行）を指示する操作が検知されたときに、第一条件が満たされたと判定し（Ｓ１４でＹｅｓ）、機能制限モードの動作から通常モードの動作に移行する（Ｓ１１）。制御部１２は、タッチパネル１５ａによって機能制限モードの解除を指示する操作が検知されるまでは（Ｓ１４でＮｏ）、機能制限モードの動作を継続する。
【００６６】
機能制限モードの動作の解除（通常モードの動作への移行）を指示する操作は、例えば、正しい解除コードの入力操作である。言い換えれば、制御部１２は、外部から制御装置１０へ正しい解除コードが入力されたときに第一条件が満たされたと判定する。
【００６７】
例えば、機能制限モードの動作においては、制御部１２は、例えば、上記図７に示されるような、ユーザが解除コードを入力するための画像を表示部１５ｂに表示させる。
【００６８】
機能制限モードにおいては、解除コードが入力されない限り画面遷移が行われない。つまり、ユーザは、制御装置１０を介した機器の制御を一切行うことができない。なお、機能制限モードにおいては、施設１０１に配置された機器の少なくとも一部である制限対象機器の制御が制限されればよく、全ての機器の制御が不可能となることは必須ではない。
【００６９】
一方で、制御部１２は、上記図７に示されるような画像が表示されているときにユーザによって正しい解除コードが入力されると、通常モードの動作に移行する。つまり、機能制限モードの動作が解除され、ユーザが制御装置１０を介した機器の制御を行うことが可能となる。
【００７０】
なお、正しい解除コードは、記憶部１３にあらかじめ記憶（登録）され、制御部１２は、ユーザによって入力された解除コードと記憶部１３に記憶された解除コードとが一致するか否かによってユーザによって正しい解除コードが入力されたか否かを判定することができる。
【００７１】
なお、ロック用コードと解除コードとは、別物として管理される必要はなく、機能制限モードの動作への移行、及び、機能制限モードの動作の解除の両方が単一のコードによって行われてもよい。
【００７２】
このように、制御部１２は、第二条件が満たされると、第一条件が満たされるまでの間、機能制限モードの動作を行う。機能制限モードの動作においては、施設１０１に配置された機器の少なくとも一部である制限対象機器の制御が制限される。
【００７３】
これにより、第一条件を知っている特定のユーザ以外のユーザの操作に基づいて機器が制御されてしまうことが抑制される。
【００７４】
なお、上記図９の説明では、解除コードの入力操作は、制御装置１０に対して直接行われた。つまり、制御部１２は、ユーザ（制御装置１０の外部）から制御装置１０へ解除コードが入力されたときに第一条件が満たされたと判定し、機能制限モードの動作を解除した。解除コードは、所定の情報の一例である。しかしながら、解除コードの入力操作は、情報端末９０を介して行われてもよい。つまり、ユーザは、情報端末９０に対して解除コードの入力操作を行ってもよい。
【００７５】
この場合、情報端末９０は、情報端末９０への操作に応じて制御装置１０に通常モードを指定するモード指定情報を送信する。制御部１２は、情報端末９０（制御装置１０の外部）から制御装置１０へモード指定情報が入力されたときに第一条件が満たされたと判定し、機能制限モードの動作を解除する。モード指定情報は、所定の情報の別の一例である。
【００７６】
なお、ロック用コードの入力操作についても同様である。ロック用コードの入力操作は、情報端末９０を介して行われてもよい。つまり、ユーザは、情報端末９０に対してロック用コードの入力操作を行ってもよい。
【００７７】
この場合、情報端末９０は、情報端末９０への操作に応じて制御装置１０に機能制限モードを指定するモード指定情報を送信する。制御部１２は、情報端末９０（制御装置１０の外部）から制御装置１０へモード指定情報（所定の情報）が入力されたときに第二条件が満たされたと判定し、通常モードの動作から機能制限モードの動作に移行する。
【００７８】
このように、制御部１２は、モード指定情報に応じて通常モードの動作、及び、機能制限モードの動作を選択的に実行してもよい。
【００７９】
［第一条件及び第二条件のその他の例］
また、上記図９の説明では、解除コードの入力操作が行われることが第一条件とされ、ロック用コードの入力操作が行われることが第二条件とされたが、これらは、第一条件及び第二条件の一例である。例えば、表示部１５ｂの表示領域の任意の場所への長押し操作が行われることが、第一条件及び第二条件とされてもよい。長押し操作とは、所定期間以上継続して行われるタッチ操作（ロングタップ操作）である。ここでの所定期間は、例えば５秒であるが、所定期間の長さは特に限定されない。
【００８０】
この場合、制御部１２は、タッチパネル１５ａによって長押し操作されたことが検知されると、第一条件または第二条件が満たされたと判定する。この結果、長押し操作が検知されるごとに、通常モード及び機能制限モードの切り替えが行われる。
【００８１】
また、機能制限モードの動作が開始されてから所定期間が経過することが第一条件とされてもよい。制御部１２は、機能制限モードの動作が開始されてから所定期間が経過したときに、第一条件が満たされたと判定し、機能制限モードの動作を解除して通常モードの動作に移行してもよい。つまり、制御部１２は、機能制限モードの動作が開始されてから所定期間の経過後に自動的に通常モードの動作に移行してもよい。
【００８２】
同様に、通常モードの動作が開始されてから所定期間が経過することが第二条件とされてもよい。制御部１２は、通常モードの動作が開始されてから所定期間が経過したときに、第二条件が満たされたと判定し、通常モードの動作を解除して機能制限モードの動作に移行してもよい。つまり、制御部１２は、通常モードの動作が開始されてから所定期間の経過後に自動的に機能制限モードの動作に移行してもよい。
【００８３】
制御部１２は、具体的には、計時部１５ｄによって計測される現在時刻に基づいて所定期間が経過したか否かを判定することができる。
【００８４】
また、第一条件は、現在時刻が第一の時間帯に属することとされ、第二条件は、現在時刻が第一の時間帯と異なる第二の時間帯に属することとされてもよい。つまり、制御部１２は、時間帯に応じて通常モードの動作、及び、機能制限モードの動作を選択的に実行してもよい。この場合も、制御部１２は、計時部１５ｄによって計測される現在時刻に基づいて、現在時刻が第一の時間帯に属するか、第二の時間帯に属するかを判定することができる。
【００８５】
例えば、子供などの操作による機器の制御を抑制する目的であれば、制御部１２は、子供が起きている日中に機能制限モードの動作を行い、子供が寝ている夜間に通常モードの動作を行えばよい。そこで、このような場合、第一の時間帯が夜間（例えば、２１：００〜９：００）、第二の時間帯が日中（例えば、９：００〜２１：００）とされる。第一の時間帯及び第二の時間帯は、ユーザの指定等に基づいてあらかじめ記憶部１３に記憶される。
【００８６】
［ユーザの識別情報に基づく機能制限の解除］
また、制御部１２は、記憶部１３にあらかじめ記憶（登録）されたユーザの指紋情報が識別情報取得部１５ｃによって取得されたときに、第一条件が満たされたと判定し、機能制限モードの動作から通常モードの動作に移行してもよい。ユーザの指紋情報は、ユーザの識別情報の一例である。
【００８７】
制御部１２は、例えば、タッチパネル１５ａによって機能制限モードの動作中に表示部１５ｂが操作されたことが検知されると、識別情報取得部１５ｃに触れることをユーザに要求する画像を表示部１５ｂに表示させる。図１１は、識別情報取得部１５ｃに触れることをユーザに要求する画像の一例を示す図である。
【００８８】
ユーザが識別情報取得部１５ｃに触れると、識別情報取得部１５ｃは、ユーザの指紋情報を取得する。制御部１２は、取得されたユーザの指紋情報が、記憶部１３にあらかじめ記憶（登録）された指紋情報と一致するか否かを判定する。
【００８９】
制御部１２は、取得されたユーザの指紋情報が、記憶部１３にあらかじめ記憶された指紋情報と一致した場合、第一条件が満たされたと判定し、機能制限モードの動作を解除して通常モードの動作に移行する。制御部１２は、取得されたユーザの指紋情報が、記憶部１３にあらかじめ記憶（登録）された指紋情報と一致しない場合には、第一条件が満たされていないと判定し、機能制限モードの動作を継続する。
【００９０】
このように、記憶部１３にあらかじめ記憶された指紋情報と一致する指紋情報が識別情報取得部１５ｃによって取得されることが第一条件とされれば、あらかじめ指紋情報が記憶された特定のユーザ以外のユーザの操作に基づいて機器が制御されてしまうことが抑制される。
【００９１】
なお、指紋情報は、識別情報の一例である。上述のように、指紋情報以外の生体認証情報、または、ユーザの顔の画像が識別情報として用いられてもよい。
【００９２】
また、記憶部１３にあらかじめ記憶（登録）されたユーザの指紋情報が識別情報取得部１５ｃによって取得されることは、第二条件とされてもよい。つまり、制御部１２は、通常モードの動作中に、記憶部１３にあらかじめ記憶（登録）されたユーザの指紋情報が識別情報取得部１５ｃによって取得されたときに、第二条件が満たされたと判定し、通常モードの動作から機能制限モードの動作に移行してもよい。
【００９３】
［ユーザが子供であるか否かの推定に基づく機能制限］
また、制御部１２は、表示部１５ｂを操作しているユーザが子供であると推定される場合に、第二条件が満たされたと判定し、通常モードの動作から機能制限モードの動作に移行してもよい。図１２及び図１３は、ユーザが子供であるか否かを推定する例を説明するための図である。
【００９４】
図１２及び図１３の例では、制御部１２は、人感センサ１５ｅの検知結果を用いてユーザが子供であるか否かを推定する。
【００９５】
上述のように、人感センサ１５ｅは、ベゼル部の上側に配置されている。このため、図１２に示されるように、身長の高い大人のユーザが表示部１５ｂを操作すると、人感センサ１５ｅの検知範囲１６に当該ユーザが位置するため、人感センサ１５ｅによって赤外線が検知される。人感センサ１５ｅによって赤外線が検知されているときの表示部１５ｂへの操作は、大人によるものと推定される。このような大人によるものと推定される表示部１５ｂへの操作がタッチパネル１５ａによって検知された場合、制御部１２は、通常モードの動作を行う。
【００９６】
一方、図１３に示されるように、身長の低い子供のユーザが表示部１５ｂを操作すると、人感センサ１５ｅの検知範囲１６に当該ユーザが位置しない。したがって、人感センサ１５ｅによって赤外線が検知されない。このように、人感センサ１５ｅによって赤外線が検知されていないときの表示部１５ｂへの操作は、子供による操作と推定される。子供によるものと推定される表示部１５ｂへの操作がタッチパネル１５ａによって検知された場合、制御部１２は、第二条件が満たされていると判定し、通常モードの動作から機能制限モードの動作に移行する。
【００９７】
このように、制御部１２は、子供によるものと推定される表示部１５ｂへの操作が検知されたときに第二条件が満たされたと判定してもよい。これにより、子供の操作に基づいて機器が制御されることが抑制される。
【００９８】
なお、子供による操作であるか否かの推定に人感センサ１５ｅが用いられることは必須ではない。子供による操作であるか否かの推定には、制御装置１０の上部と対向する位置に、人または人と考えられる障害物があるか否かを検知できるセンサが用いられればよい。例えば、人感センサ１５ｅに代えて超音波センサが用いられてもよい。
【００９９】
また、子供による操作であるか否かの推定には、タッチパネル１５ａによって検出されたユーザの手（指）の接触面積が用いられてもよい。この場合、操作時の接触面積が所定値以下であれば、当該操作が子供による操作であると推定される。
【０１００】
また、制御部１２は、機能制限モードの動作中に、表示部１５ｂを操作しているユーザが大人であると推定される場合に、第一条件が満たされたと判定し、機能制限モードの動作から通常モードの動作に移行してもよい。
【０１０１】
［一部の機器の制御の制限］
上述のように、機能制限モードにおいては、施設１０１に配置された機器の少なくとも一部である制限対象機器の制御が制限されればよく、全ての機器の制御が不可能となることは必須ではない。例えば、施設１０１に配置された複数の機器のうち、一部の機器が制御装置１０の制御対象から除外されてもよい。
【０１０２】
制御対象から除外される機器は、あらかじめ定められていてもよいし、機能制限モードの動作へ移行するときなどに、制御対象から除外される機器がユーザによって指定（選択）されてもよい。図１４は、機能制限モードにおいて、制御対象から除外される機器を指定するための画像の一例を示す図である。
【０１０３】
図１４に示されるような画像が表示部１５ｂに表示されれば、ユーザは、電動カーテン４０及び電動シャッター５０など、誤って制御されることで施設１０１内のユーザに危険が及ぶ可能性が高い機器のみを選択的に制御装置１０の制御対象から除外することができる。なお、情報端末９０を介してロック用コードの入力操作が行われるような場合には、図１４に示されるような画像が情報端末９０の表示部に表示されてもよい。
【０１０４】
また、一部の機器が制御装置１０の制御対象から除外される場合、制御部１２は、例えば、機能制限モードの動作において、制御対象から除外された機器の制御をユーザが指示するためのオブジェクトを表示部１５ｂに表示させない。オブジェクトは、例えば、画像またはアイコンである。画像は、表示部１５ｂの表示領域の全体に表示され、アイコンは、表示部１５ｂの表示領域の一部に表示される。
【０１０５】
例えば、通常モードにおいてスイッチモードの画像は、図３に示されるような画像であるが、電動カーテン４０が制御装置１０の制御対象から除外された機能制限モードの動作中には、図１５に示されるように、電動カーテン４０への電源供給をオン及びオフするためのアイコンが表示されない。図１５は、機能制限モードの動作中におけるスイッチモードの画像の一例を示す図である。
【０１０６】
一方、制御部１２は、機能制限モードの動作において、施設１０１に配置された機器のうち制御対象から除外された機器以外の機器（例えば、制御対象から除外されていない照明装置２０及び空調装置３０）の制御をユーザが指示するためのオブジェクトについては、表示部１５ｂに表示させる。
【０１０７】
これにより、制御部１２は、制御対象から除外された機器をユーザに認識させることができる。
【０１０８】
なお、電動カーテン４０が制御装置１０の制御対象から除外される場合、電動カーテン４０への電源供給をオン及びオフするためのアイコンが使用できないことがユーザにわかればよい。例えば、図１６に示されるように、当該アイコンは、グレーアウト表示されるなど、他のアイコンと違う態様で表示されてもよい。図１６は、機能制限モードの動作中におけるスイッチモードの画像の別の一例を示す図である。
【０１０９】
なお、表示されないアイコンについて説明されたが、画像自体が表示されない場合もある。例えば、電動カーテン４０が制御装置１０の制御対象から除外された機能制限モードの動作中には、電動カーテン４０を開閉するための専用の画像が表示部１５ｂに表示されない。ユーザが画面遷移操作を行っても、電動カーテン４０を開閉するための専用の画像が現れない。
【０１１０】
［一部の制御内容の制限］
また、機能制限モードにおいては、制御装置１０が可能な制御内容の一部が禁止されてもよい。例えば、機能が制限される機器が空調装置３０である場合、風向きの変更は可能であるが、設定温度の変更はできないなど、一部の制御内容が禁止されてもよい。
【０１１１】
また、機能が制限される機器が空調装置３０である場合、空調装置３０を動作させる複数種類のシーン制御のうちの一部が禁止されてもよい。つまり、制御部１２は、機能制限モードの動作において、通常モードにおいて実行可能な複数種類のシーン制御のうちの一部を実行しなくてもよい。
【０１１２】
また、禁止される制御内容は、あらかじめ定められていてもよいし、機能制限モードの動作へ移行するときなどに、禁止される制御内容がユーザによって指定（選択）されてもよい。図１７は、機能制限モードにおいて、ユーザが禁止するシーン制御を指定するための画像の一例を示す図である。
【０１１３】
図１７に示されるような画像が表示部１５ｂに表示されれば、ユーザは、複数種類のシーン制御の一部の実行を禁止することができる。なお、情報端末９０を介してロック用コードの入力操作が行われるような場合には、図１７に示されるような画像が情報端末９０の表示部に表示されてもよい。
【０１１４】
また、一部の制御内容が禁止される場合、制御部１２は、例えば、機能制限モードの動作において、禁止された制御内容をユーザが指示するためのオブジェクトを表示部１５ｂに表示させる。例えば、禁止されたシーン制御用のアイコンが表示されなくてもよいし、禁止されたシーン制御用の画像自体が表示されなくてもよい。また、禁止されたシーン制御用のアイコンが、禁止されていないシーン制御用のアイコンと違う態様で表示されてもよい。一方、制御部１２は、機能制限モードの動作において、禁止されていない制御内容をユーザが指示するためのオブジェクトについては、表示部１５ｂに表示させる。
【０１１５】
これにより、制御部１２は、禁止された制御内容をユーザに認識させることができる。
【０１１６】
［効果等］
以上説明したように、上記実施の形態に係る制御装置１０は、施設１０１が備える壁１０３に取り付け可能な筐体１８と、少なくとも一部が筐体１８内に配置されたタッチパネル式の表示部１５ｂと、表示部１５ｂへのユーザの操作に応じて施設１０１に配置された機器を制御する制御部１２とを備える。壁１０３は、施設１０１が備える構造物の一例である。制御部１２は、第一条件が満たされるまでの間、施設１０１に配置された機器の少なくとも一部である制限対象機器の制御を制限する機能制限モードの動作を行う。
【０１１７】
これにより、第一条件の内容を知っている特定のユーザのみが制限の無い機器の制御を指示することができるため、特定のユーザ以外のユーザの操作に基づいて機器の制御が行われてしまうことが抑制される。
【０１１８】
また、例えば、制御装置１０は、さらに、施設１０１に配置された機器の電源スイッチ用に供給される電力を受電する受電部を備える。
【０１１９】
これにより、制御装置１０は、電源スイッチ用に供給される電力を用いて動作することができる。
【０１２０】
また、例えば、制御装置１０は、さらに、施設１０１に配置された機器への電源供給の有無を切り替えるスイッチ素子を備える。
【０１２１】
これにより、制御装置１０は、電源スイッチとして動作することができる。
【０１２２】
また、例えば、制御部１２は、機能制限モードの動作において、制限対象機器の制御をユーザが指示するためのオブジェクトを表示部１５ｂに表示させない。
【０１２３】
これにより、制御部１２は、制御対象から除外された機器（制限対象機器）をユーザに認識させることができる。
【０１２４】
また、例えば、制御部１２は、機能制限モードの動作において、施設１０１に配置された機器のうち制限対象機器以外の機器の制御をユーザが指示するためのオブジェクトを表示部１５ｂに表示させる。
【０１２５】
これにより、制御部１２は、制御対象の機器をユーザに認識させることができる。
【０１２６】
また、例えば、制御部１２は、第二条件が満たされたときに、他のモードの動作から機能制限モードの動作に移行する。他のモードは、例えば、上記実施の形態の通常モードである。
【０１２７】
これにより、制御装置１０は、他のモードの動作、及び、機能制限モードの動作を選択的に実行することができる。
【０１２８】
また、例えば、制御部１２は、子供によるものと推定される表示部１５ｂへの操作が検知されたときに、第二条件が満たされたと判定してもよい。
【０１２９】
これにより、制御部１２は、子供によるものと推定される表示部１５ｂへの操作が検知されたときに制限対象機器の制御を制限することができる。
【０１３０】
また、例えば、制御部１２は、機能制限モードの動作を開始してから所定期間が経過したときに、第一条件が満たされたと判定し、機能制限モードの動作を解除する。
【０１３１】
これにより、機能制限モードの動作が、所定期間の経過後に自動的に解除される。
【０１３２】
また、例えば、制御部１２は、外部から制御装置１０へ所定の情報が入力されたときに、第一条件が満たされたと判定し、機能制限モードの動作を解除する。
【０１３３】
これにより、制御部１２は、所定の情報の入力に応じて、機能制限モードの動作を解除することができる。
【０１３４】
また、例えば、制御部１２は、機能制限モードの動作において、ユーザが所定の情報を入力するための画面を表示部１５ｂに表示させる。
【０１３５】
これにより、ユーザは、所定の情報を入力することができる。
【０１３６】
また、例えば、制御部１２は、少なくとも制限対象機器を動作させて施設１０１内を所定の室内環境に近づけるシーン制御を複数種類実行可能であり、機能制限モードの動作においては、制限対象機器の制御の制限として、実行可能な複数種類のシーン制御のうちの一部を実行しない。
【０１３７】
これにより、制御部１２は、機能制限モードの動作において、一部のシーン制御の実行を制限することができる。
【０１３８】
（その他の実施の形態）
以上、実施の形態について説明したが、本発明は、上記実施の形態に限定されるものではない。
【０１３９】
上記実施の形態で説明した装置間の通信方法は、一例である。装置間の通信方法については特に限定されるものではない。装置間では、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われる。なお、無線通信は、具体的には、電波通信、または、赤外線通信などである。
【０１４０】
また、装置間においては、無線通信に代えて、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信など、有線通信が行われてもよい。
【０１４１】
また、例えば、上記実施の形態において、特定の処理部が実行する処理を別の処理部が実行してもよい。また、複数の処理の順序が変更されてもよいし、複数の処理が並行して実行されてもよい。
【０１４２】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４３】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１４４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記実施の形態に係る機器制御システムとして実現されてもよいし、制御装置（コンピュータ）によって実行される機器制御の制限方法として実現されてもよいし、機器制御をコンピュータに実行させるためのプログラムとして実現されてもよい。
【０１４５】
また、上記実施の形態において説明された制御装置の動作における複数の処理の順序は一例である。複数の処理の順序は、変更されてもよいし、複数の処理は、並行して実行されてもよい。
【０１４６】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１４７】
１０  制御装置
１２制御部
１５ａ  タッチパネル
１５ｂ  表示部
１８  筐体
１０１  施設
１０３  壁
【図１】
2018186330.tif 000003
【図２】
2018186330.tif 000004
【図３】
2018186330.tif 000005
【図４】
2018186330.tif 000006
【図５】
2018186330.tif 000007
【図６】
2018186330.tif 000008
【図７】
2018186330.tif 000009
【図８】
2018186330.tif 000010
【図９】
2018186330.tif 000011
【図１０】
2018186330.tif 000012
【図１１】
2018186330.tif 000013
【図１２】
2018186330.tif 000014
【図１３】
2018186330.tif 000015
【図１４】
2018186330.tif 000016
【図１５】
2018186330.tif 000017
【図１６】
2018186330.tif 000018
【図１７】
2018186330.tif 000019